Podtech/llm-jp-corpus-v4-ja_patent huggingface dataset:
(57)【要約】【課題】非鉄金属の鋳造においてアスベスト繊維又はガラス繊維が使用されているが、アスベスト繊維においては公害問題があり、ガラス繊維については耐久性の問題がある。【解決手段】バサルトを主材料に使用し、溶解した非鉄金属、アルミニウム合金、マグネシウム合金、亜鉛合金との接触面には平織りのバサルト繊維を使用することにより溶着しづらく耐久性をもつ。【選択図】図１
2019198888.tif 000002
【特許請求の範囲】
【発明の詳細な説明】
【技術分野】
【０００１】非鉄金属の鋳造に使用するパッキング。
【発明の概要】
【発明が解決しようとする課題】
【０００２】既存の非鉄金属の鋳造においてパッキングにアスベストが使用されていた。材料にアスベストを使用しないパッキング。
【課題を解決するための手段】
【０００３】主材料にバサルト繊維、バサルトマットの無機繊維を使用する。接着材として、エポキシ樹脂、ビニルエステル樹脂、ＭＭＡ樹脂、アクリル樹脂、不飽和ポリエステル樹脂、フェノール樹脂が使用される又はバサルト繊維糸にて縫製したもの。
【発明の効果】
【０００４】常温から８００度に使用でき、非鉄金属が液体化の状態で溶着しづらい材質と形状。
【図面の簡単な説明】
【０００５】
【図１】１の平面に平織りバサルト繊維を使用
【図１】
2019198888.tif 000003
【手続補正書】
【提出日】平成30年10月28日(2018.10.28)
【手続補正２】
【補正対象書類名】特許請求の範囲
【補正対象項目名】全文
【補正方法】変更
【補正の内容】
【特許請求の範囲】
【請求項１】
非鉄金属を加熱して液体化して加工するときのパッキング。
(57)【要約】【課題】  食事制限をしている人や小麦や卵アレルギーのある人も安心して食べることができ、小麦粉からなる麺と食感が略同じである麺製品の製造方法を提供する。【解決手段】  １〜５ｗｔ％であるアルギン酸ナトリウム水溶液と、米粉とを、１：２の重量比で混合した原料液を、２〜４ｍｍの直径を有するノズル孔から吐出させて、穀物酢１０〜２０ｗｔ％かつ塩化カルシウム１〜５ｗｔ％である凝固液へ流し込み、凝固させる。【選択図】  なし【特許請求の範囲】
【請求項１】
１〜５ｗｔ％であるアルギン酸ナトリウム水溶液と、米粉とを、１：２の重量比で混合した原料液を、
２〜４ｍｍの直径を有するノズル孔から吐出させて、
穀物酢１０〜２０ｗｔ％かつ塩化カルシウム１〜５ｗｔ％である凝固液へ流し込み、凝固させることを特徴とする麺製品の製造方法。
【発明の詳細な説明】
【技術分野】
【０００１】
本発明は、米粉とアルギン酸ナトリウムを原料とする麺製品の製造方法に関する。
【背景技術】
【０００２】
近年、アレルギー体質の人や健康上の理由で食事制限をしている人から、小麦粉を使用しない所謂グルテンフリーの食品が求められている。また、食物アレルギーのなかでも特に多いとされている卵アレルギー体質の人は、食べられる食品が非常に制限されてしまうという問題があった。
ところで、小麦粉を原材料とする麺に代替するものとしては、海藻麺や蒟蒻麺、米粉麺等が流通しているが、これらの麺は食感や質感は小麦粉の麺とは異なるものであった。
【発明の概要】
【発明が解決しようとする課題】
【０００３】
本発明は上記事情を鑑み、食事制限をしている人や小麦アレルギー、卵アレルギーの体質の人も安心して食べることができ、小麦粉を原材料とする麺と略同じ食感を有する麺製品の製造方法を提供することを目的とする。
【課題を解決するための手段】
【０００４】
本発明の麺製品の製造方法は、１〜５ｗｔ％であるアルギン酸ナトリウム水溶液と、米粉とを、１：２の重量比で混合した原料液を、２〜４ｍｍの直径を有するノズル孔から吐出させて、穀物酢１０〜２０ｗｔ％かつ塩化カルシウム１〜５ｗｔ％である凝固液へ流し込み、凝固させることを特徴とする。
【発明の効果】
【０００５】
本発明によれば、米粉とアルギン酸ナトリウムを原材料とするグルテンフリーの麺であるにも関わらず、小麦粉を原材料とする麺と同様の滑らかな質感ともっちりとした弾力のある食感が得られ、小麦粉麺と同様に炒めたり茹でたりしても質感や食感が損なわれない。
【発明を実施するための形態】
【０００６】
以下、本発明の実施の形態を詳細に説明する。
本発明の製造方法によって得られる麺製品は、米粉とアルギン酸ナトリウムを原材料とするものであり、小麦粉を原材料とする麺と同様の質感と食感を有する。詳しくは、米粉と１〜５ｗｔ％のアルギン酸ナトリウム水溶液の混合液を原材料とする。
【０００７】
アルギン酸ナトリウムは、海藻由来の多糖類であり、水に溶解して無色透明となり、カルシウムイオンが加えられると架橋反応が起こりゲル化する。
原料液として用いられるアルギン酸ナトリウム水溶液は、１〜５ｗｔ％の濃度であって、最も望ましいのは２ｗｔ％のアルギン酸ナトリウム水溶液である。
【０００８】
（原料液の配合）
米粉と１〜５ｗｔ％のアルギン酸ナトリウム水溶液の最適な混合比は１：２であり、これを混連することによって本発明の麺の原料液が得られる。米粉又はアルギン酸ナトリウム水溶液の混合量はそれぞれ５％程度の誤差があっても品質に問題はないが、米粉の割合がこの分量より多いと、麺が粉っぽく軋むような食感となってしまう。また、アルギン酸ナトリウム水溶液をこの分量とすることで、成形性が良く、小麦粉を原材料とする麺のような弾力性や、滑らかな質感を再現することが可能となる。アルギン酸ナトリウム水溶液がこれより少ないと、固まり難く成形性や食感が悪くなり、多いとコリコリとした歯切れのよい食感となってしまい、もっちりとした弾力のある食感が損なわれてしまう。
【０００９】
（凝固液の配合）
原料液を流し込んで凝固させるための凝固液は、穀物酢１０〜２０ｗｔ％かつ塩化カルシウム１〜５ｗｔ％である。凝固液に穀物酢を１０〜２０ｗｔ％配合することで、より滑らかな質感となるとともに、防カビ及び防腐効果が期待できる。最も望ましい穀物酢の配合量は１５ｗｔ％である。塩化カルシウムは、１〜５ｗｔ％より多く配合された場合、原料液を短時間で凝固できるが、麺に渋みが出てしまい、軋むような食感となってしまう。
【００１０】
（成形工程）
得られた原料液を、２〜４ｍｍの直径を有するノズル孔から吐出させて、凝固液に流し込み、凝固させて麺状に成形する。ノズル孔の直径は、麺の食感に大きく影響するものである。例えば、２ｍｍ程度では素麺のようにつるつるとした滑らかな麺となり、３〜４ｍｍ程度では、小麦粉のパスタ等と同様のつるっとした滑らさ、もっちりとした弾力、そしてしっとりとした食感が得られる。３〜４ｍｍ程度であれば、小麦粉の麺と同様の調理方法、例えば、茹でたり炒めたりしても、しなやかな弾力が損なわれず、食感も損なわれないので、焼きそばやスパゲティ等様々なアレンジが可能である。ノズル孔の直径を５ｍｍ以上とすると、芯が残ったような硬い食感となってしまう。
凝固液中で凝固した麺状の材料は、水にさらし、酢を抜くための洗浄を行う。その後、ボイルすることによって麺製品が得られる。得られた麺製品は殆ど無味無臭であるため、様々な味付けや調理方法によって、多種多様の麺料理とすることが可能である。
【００１１】
以上のようにして、重量パーセント濃度が１〜５ｗｔ％であるアルギン酸ナトリウム水溶液と、米粉とを、１：２の重量比で混合した原料液を、２〜４ｍｍの直径を有するノズル孔から吐出させて、穀物酢１０〜２０ｗｔ％かつ塩化カルシウム１〜５ｗｔ％である凝固液へ流し込み、凝固させて製造された麺製品は、米粉とアルギン酸ナトリウムを原材料とするグルテンフリーの麺であるにも関わらず、小麦粉を原材料とする麺と区別がつかないほどの滑らかな質感ともっちりとした弾力のある食感が得られ、小麦粉麺と同様に炒めたり茹でたりしても質感や食感が損なわれない。小麦アレルギーや卵アレルギーの体質の人も安心して食べることができる。
なお、原材料には、米粉とアルギン酸ナトリウムの他に添加物を加えることも可能であるが、本発明の製造方法であれば、原材料が米粉とアルギン酸ナトリウムのみであっても、ある程度の防カビ及び防腐効果が期待できる。
【００１２】
本発明は、上記の実施形態に限定されない。例えば、上記した原材料以外に、小麦麺と同様の食感や質感が損なわれない範囲において、一般的な食品に用いられる調味料や添加剤を含むことができる。
(57)【要約】      （修正有）【課題】癖毛は伸ばしつつ髪全体はふんわりとした自然なストレートとする、または、矯正と同時に内巻カールもできるヘアアイロンを提供する。【解決手段】髪に使用するストレートアイロンのアイロン面Ｂを弓形に丸みをつけ、もう片側は弓形のアイロン面Ａを包む形状にする。二つのアイロン面Ａ、Ｂでプレスすることにより髪の根元からクセ毛を伸ばし、髪全体にボリュームも出すことが出来る。同時に自然なカールも作れるロールストレートアイロン。【選択図】図１
2019098133.tif 000002
【特許請求の範囲】
【発明の詳細な説明】
【技術分野】
【００２】本発明は、熱の力によって髪型を変えるために使うストレートヘアアイロンのアイロン面を弓形にするものです。
【背景技術】
【００３】従来のストレートアイロンは、熱によって髪型を整えます。美容業務の縮毛矯正などで使用します。アイロン面は平らな形状で髪を直毛にすることに優れています。しかし髪を丸めるには手首を回転させてカールをつくりますが、均一にカールを作ることは難しく、技術者によっても違う仕上がりとなってしまいます。毛先を丸めることだけを考えたら、コテ（カール用アイロン）が簡単ですが、根元ギリギリの髪にコテをあてることはできません。
【発明の開示】
【解決しようとする課題】
【００４】従来の縮毛矯正は髪全体がペタッとして毛先もツンツンとしたストレートでしたが、近年では癖毛は伸ばしつつ髪全体はふんわりとした自然なストレートをお客様は希望されます。矯正と同時に毛先を内巻きにしたヘアースタイルも求められます。縮毛矯正は１剤で毛髪のシスチン結合を切断し、その後洗い流してから髪を乾かし、ストレートアイロンで熱酸化させてストレートを固定します。次にアイロンで直毛に整えた髪に２剤を塗布することによりシスチン結合を再結合させ、ストレートヘアーの定着を促します。お客様が希望するふんわりとしたヘアースタイルを作るには、１剤と２剤の間のストレートアイロンが重要な役割をはたします。従来のストレートアイロンだと手首を使ってアイロン面を回転させてふんわりとした丸みや、カールを作りますが、均一なカールを作ることは難しいのです。しかも１度目のアイロン操作できれいなカールをつけなくては、せっかく毛先を丸めても仕上げで真っ直ぐになってしまいます。そして、カールが上手くいかず何度もアイロンをあてると痛みの原因となります。従来の縮毛矯正  １ヵ月〜３ヵ月後などに毛先をカットしたとき髪の中間部分が直毛のため毛先がツンツンとしたヘアースタイルになってしまいます。
【課題を解決するための手段】
【００５】本発明は（３）図１Ａのアイロン面のように弓形にすることです。そして片側は（３）図１Ｂのようにアイロン面はＡの弓形のアイロン面を包む形状です。
【発明の効果】
【００６】ストレートアイロンのアイロン面を弓形することで縮毛矯正も髪の根元からふんわりとさせながらアイロンをあてることが出来ます。髪全体に自然なふんわりとしたストレートが簡単にできるのです。矯正をしながらの内巻きカールもスムーズな毛流れで仕上がります。そして１ヵ月〜３ヵ月後に毛先をカットしても従来の矯正より自然な仕上がりになります。
【産業上の利用の可能性】
【００７】美容業務では技術の向上、均一化、施術時間の短縮そして従来よりも幅広いヘアースタイルが可能になります。個人ユーザーは自分で自然なストレートや内巻きカールが楽しめます。
【図面の簡単な説明】
【００８】
【図１】ストレートアイロンを斜め横から見たものです。Ａは弓形のアイロン面  Ｂは弓形のアイロン面を包む形状のアイロン面
【図２】ストレートヘアアイロンの先端部分の開いている状態
【図３】ストレートヘアアイロンの先端部分の閉じた状態
【図１】
2019098133.tif 000003
【図２】
2019098133.tif 000004
【図３】
2019098133.tif 000005
【手続補正書】
【提出日】平成30年2月23日(2018.2.23)
【手続補正２】
【補正対象書類名】特許請求の範囲
【補正対象項目名】全文
【補正方法】変更
【補正の内容】
【特許請求の範囲】
【請求項１】
ストレートアイロンの二つのアイロン面の片側が弓形に丸みのある形状にします。もう片側は弓形のアイロン面を挟んだときに包む形状のアイロン面とします。二つの形状のアイロン面を特許の範囲として請求します。
(57)【要約】【課題】自動車用の積載量を増やすためのルーフボックスやルーフラックは、着脱に時間がかかり、また形が定まっているプラスチックや金属製であるためにコンパクトに畳むようなことはできず収納に苦慮していた。【解決手段】マグネットの磁力により自動車のルーフやトランク上部に吸着させることで、容易に取付が可能となる。また、形が定まっていない布などの素材を使用する事で、折りたたんで収納することができる。マグネットの吸着面を十分に確保できない場合の固定補助と、盗難防止の為のベルトを取り付けることもできる。【選択図】図１
2019098128.tif 000002
【特許請求の範囲】
【請求項１】
自動車のルーフまたはトランクの上に着脱自在に設けるバッグであって、折りたたむことができる材質でできたバッグと、前記バッグの底部に取り付けた複数のマグネットと、前記バッグに取り付けられ両側方へ延びる対になったベルトと、各対のベルトの一端が自動車の左ドアから通り他端は右ドアから通った状態で自動車室内で両端が結合される結合手段と、前記バッグがルーフまたはトランクの上に取り付けられた状態で荷物の出し入れが可能となる前記バッグ側面に取り付けられているファスナー、を有することを特徴とするマグネット吸着型自動車取付用バッグ
【発明の詳細な説明】
【技術分野】
【０００１】    この発明は、自動車に取り付けるマグネット吸着式のバッグに関する。
【背景技術】
【０００２】従来の乗車用の積載量を増やす為にはキャリアベースを取り付けた上に、ルーフボックスや、ルーフラックを取り付けていた。
一度取り付けると工具がなければ外せない製品が多く、また形が定まっているプラスチック製や金属製であるためにコンパクトに畳むようなことはできず収納に苦慮していた。
【先行技術文献】
【特許文献】
【０００３】
【特許文献１】特開平０８−３１８７９１
【特許文献２】特表２０１４−５２１５４４
【特許文献３】実登３００３２０３
【特許文献４】実開平０３−０７３２２６
【特許文献５】実開平０１−１０７６４７
【発明の概要】
【発明が解決しようとする課題】
【０００４】  従来のルーフボックスや、ルーフラックはキャリアベースを取り付けた上に金具で取り付けられていた。
一度取り付けると工具がなければ外せない製品が多く、また形が定まっているプラスチック製や金属製であるためにコンパクトに畳むようなことはできず収納に苦慮していた。
そこで、本体底部に取り付けられた複数のマグネットにより自動車のルーフやトランクの上への脱着が容易で、折りたたんで収納することができる素材でできており、取り付けた状態で荷物の出し入れが容易なマグネット吸着型自動車取付用バッグを提供することを課題とする。
【課題を解決するための手段】
【０００５】  本体（ａ）は折りたたんで収納できる素材でできており、ネオジム磁石などの磁力の強い磁石（ｂ）を本体（ａ）の底面に複数取り付けられることで自動車（１）のルーフ（２）やトランク（５）の上に磁力により吸着させ、さらに固定補助・盗難防止のためのベルト（ｃ）を任意で取り付ける事が可能であり、自動車に取り付けられた状態で容易に荷物の出し入れを行う為のファスナー（ｄ）を本体（ａ）の側面に取り付けた。
【発明の効果】
【０００６】本体（ａ）が形が定まっていない布などの素材を使用する事で、折りたたんで収納することができ、ネオジム磁石などの磁力の強い磁石（ｂ）の吸着力でルーフ（２）やトランク（５）に吸着させるため容易に着脱が可能となる。【０００７】また、本体（ａ）が折りたたむことができる材質でできていることから、ルーフやトランクの曲面に馴染んで設けることができ、曲面との間に隙間ができにくいのでマグネットの磁力が働きやすく、しっかりと設けることができる。【０００８】また、固定補助・盗難防止のためのベルト（ｃ）を任意で取り付ける事により、サンルーフなどにより磁石（ｂ）の磁力が効かない車種にも取り付けられ、本体（ａ）の盗難防止にもなる。【０００９】また、本体（ａ）の側面に取り付けられたファスナー（ｄ）により自動車に取り付けられた状態でも容易に荷物の出し入れが可能となる。
【図面の簡単な説明】
【００１０】
【図１】この発明の一実施形態を示す斜視図である。
【図２】この発明の一実施携帯を示す底面図である。
【図３】この発明の一実施携帯を示すハッチバック、ワゴンタイプの自動車のルーフへの取付図である。
【図４】この発明の一実施形態を示すセダン、クーペタイプの自動車のトランク上部への取付図である。
【発明を実施するための形態】
【００１１】この発明の一実施形態を、図１、図２に示す。
図１は斜視図である。自動車取付用バッグの本体（ａ）は折りたたんで収納できる素材でできており、側面には自動車に取り付けた状態で、荷物を出し入れするためのファスナー（ｄ）が取り付けられており、任意で取り付けが可能な固定補助・盗難防止用ベルト（ｃ）が本体の左右側面からから本体の下を通り反対側のベルトと結束される形で取り付けられている。
【００１２】図２は底面図である。自動車取付用バッグの本体（ａ）の底面には、ネオジム磁石などの磁力の強い磁石（ｂ）が複数分散して設けられている。
【００１３】図３はハッチバック、ワゴンタイプの自動車のルーフへの取付図である。自動車のルーフに取り付ける場合、本体を自動車（１）のルーフ（２）上面に広げ、本体（ａ）底面に分散して取り付けられた吸着用マグネット（ｂ）の磁力によりルーフ（２）の上面にしっかりと吸着させる。また本体（ａ）の左右に固定補助・盗難防止用ベルト（ｃ）を取り付け、左右のドア（４）を開けた自動車の開口部のピラー（３）の上縁から自動車内を通し、左右のベルトを自動車内できつく結束させる。
【００１４】図４はセダン、クーペタイプの自動車のトランク上部への取付図である。セダンタイプや、クーペタイプ車のトランクの蓋の上部に取り付ける場合、本体（ａ）をトランクの蓋（５）の上面に広げ、本体（ａ）底面に分散して取り付けられた吸着用マグネット（ｂ）の磁力によりトランクの蓋（５）の上面にしっかりと吸着させる。また、本体の左右に固定補助・盗難防止用のベルト（ｃ）を取り付け、左右の盗難防止用ベルト（ｃ）をトランクの蓋（５）の上面から、トランクの内側に通し、トランクの内側できつく結束させる。
【００１５】「実施形態の効果」
この実施形態によれば、本体（ａ）とルーフ（２）の間に隙間なく取り付けることが可能となるため、走行時の空気抵抗の増加を最小限にとどめる事ができる。
「他の実施形態」
図１、図３の実施形態では、本体（ａ）は直方体となっているが、より空気抵抗を少なくするために、流線型の形状であっても良い。
【符号の説明】
【００１６】（ａ）  本体
（ｂ）  吸着用マグネット
（ｃ）  固定補助・盗難防止用ベルト
（ｄ）  ファスナー
（１）  自動車
（２）  ルーフ
（３）  ピラー
（４）  ドア
（５）  トランクの蓋
【図１】
2019098128.tif 000003
【図２】
2019098128.tif 000004
【図３】
2019098128.tif 000005
【図４】
2019098128.tif 000006
(57)【要約】【課題】  従来、湯船で温まってから体を洗う習慣があり、湯船に入る前に体と足をよく洗わないため、湯船のお湯がすぐ汚れた。特に足は、雑菌を含め一番汚れている場所で湯船のお湯を汚す一番の原因となっていた。本発明は、足の裏側全体を洗浄し足の指の間の汚れまできれいに落とす足洗い器を提供する。【解決手段】  シャワー掛具を上下逆向きにシャワー掛具固定板に固定し、シャワー掛具固定板を底板に傾斜を付けて固定する。シャワー掛具固定板の左右にシャワーヘッド保持具を設け底板に固定する。底板中央部にコイルバネ固定具を設け、シャワーヘッド固定用コイルバネをシャワー掛具方向にに取り付ける。コイルバネ固定具の上に足置台を設ける。底板の中央部にシャワーヘッドの先端部を覆うように跳ね防止カバーを設けた足洗い器。【選択図】図１
2019098125.tif 000002
【特許請求の範囲】
【請求項１】
シャワー掛具を上下逆向きにシャワー掛具固定板に固定し、シャワー掛具固定板を底板に傾斜を付けて固定し、シャワー掛具固定板の左右にシャワーヘッド保持具を設け底板に固定し、底板中央部にコイルバネ固定具を設け、シャワーヘッド固定用コイルバネをシャワー掛具方向に取り付け、コイルバネ固定具の上に足置台を設け、跳ね防止カバーを底板（３）中央部に設けた足洗い器。
【発明の詳細な説明】
【技術分野】
【０００１】  本発明は、風呂場で使用する足洗い器に関するものである。
【背景技術】
【０００２】  従来、風呂場で湯船に入る前、体と足の汚れを簡単に洗い流し、湯船に浸かっていた。従来、特許文献１の足洗い器は知られていた。
【先行技術文献】
【特許文献】
【０００３】
【特許文献１】特開  平６−３４３６７６
【発明の概要】
【発明が解決しようとする課題】
【０００４】  従来より、日本人は湯船に入って温まってから、後で体を洗う習慣があり、湯船に入る前は体と足の汚れを簡単に洗い流すだけのため、湯船のお湯がすぐに汚れ、後から入る人に不快感を与えていた。特に足は、洗いづらいため、雑菌を含め一番汚れている場所にも関わらず足の洗浄が不十分なまま湯船に入るため、湯船のお湯を汚す一番の原因となっていた。
特許文献１では、大掛かりな電気仕掛けの装置であり、部品点数も多く構造が複雑で重く場所も取る問題点があった。
本発明は、以上の問題点を解決するためになされたものである。
【課題を解決するための手段】
【０００５】  シャワー掛具を上下逆向きにシャワー掛具固定板に固定し、シャワー掛具固定板を底板に角度４０度程度の傾斜をつけて固定する。シャワー掛具固定板の左右にシャワーヘッド保持具を設け底板に固定する。底板中央部にコイルバネ固定具を設け、シャワーヘッド固定用コイルバネをシャワー掛具方向に取り付ける。コイルバネ固定具の上に足置き台を設ける。跳ね防止カバーを底板中央部に設ける。
以上の構成よりなる足洗い器。
【発明の効果】
【０００６】  風呂場にあるシャワーを使い、湯船に入る前に立った状態で足の裏側全体をシャワー洗浄できる。シャワー直当て強力噴流で足の指の間を押し開き、指の間の汚れまできれいに落とせるため湯船のお湯を汚さない。短時間での足の洗浄と強い噴出流によるマッサージ効果も発揮され、湯船に汚れを持ち込まず気持ちよく湯船に浸かることができる。又、簡素化した構造で軽く場所も取らない。
【図面の簡単な説明】
【０００７】
【図１】  本発明の斜視図
【図２】  本発明の使用状態を示す斜視図
【図３】  図１のＡーＡ断面図
【図４】  図２のＢ−Ｂ断面図
【発明を実施するための形態】
【０００８】  以下、本発明の実施の形態を説明する。
（イ）シャワー掛具（１）を上下逆向きにシャワー掛具固定板（２）の上部に取り付け、シャワー掛具固定板（２）を底に一例として角度４０度程度の傾斜を持たせ、底板（３）から角度４０度程度の傾斜になるように底板（３）にシャワー掛具固定板（２）をビス又は強力接着剤で固定する。シャワー掛具固定板（２）の左右にシャワーヘッド保持具（４）を設け、底板（３）に固定する。
（ロ）底板（３）の中央部にコイルバネ固定具（７）を設け、シャワーヘッド固定用コイルバネ（６）をシャワー掛具（１）方向に取り付ける。
（ハ）コイルバネ固定具（７）の上に足置台（５）を設ける。底板（３）の中央部にシャワーヘッド（ａ）の先端部を覆うように下からのシャワー噴流の飛び散りを抑えるための跳ね防止カバー（８）を設ける。
本発明は、以上のような構造である。
【０００９】  本発明を使用するときは、シャワーヘッド（ａ）の先端部をシャワー掛具固定板（２）の傾斜に沿って底板（３）の上をスライドさせ、シャワーヘッド固定用コイルバネ（６）を押し縮めて、回転ホース金具（ｂ）をシャワー掛具（１）に下から差し込みシャワーヘッド（ａ）を固定する。
シャワーヘッド（ａ）からお湯を噴出させると下からの噴出流が跳ね防止カバー（８）に当り跳ね防止カバー（８）の内部に強力噴流による洗浄エリアができる。足置き台（５）に足を乗せ、シャワー噴出流の上まで足を前にスライドさせると強いシャワーの噴出流が足の底を洗浄する。シャワー直当ての強力噴流で足の指の間を押し開き、指の間の汚れまできれいに落とし、短時間での足の洗浄とマッサージ効果も発揮され、その後湯船に入っても足の汚れを持ち込まず気持ちよく湯船に浸かることができる。
【符号の説明】
【０００９】１  シャワー掛具、２  シャワー掛具固定板、３  底板  ４  シャワーヘッド保持具、５  足置台、６  シャワーヘッド固定用コイルバネ、７  コイルバネ固定具、８  跳ね防止カバー
ａ  シャワーヘッド、ｂ  回転ホース金具、ｃ  シャワーホース、
【図１】
2019098125.tif 000003
【図２】
2019098125.tif 000004
【図３】
2019098125.tif 000005
【図４】
2019098125.tif 000006
(57)【要約】      （修正有）【課題】フリーハンドの状態を無くす為に堤状または橋桁状の研磨用の作業テーブル研磨支台を提供する。【解決手段】研磨支台の作業面２には滑り止めの刻みや、凹凸３が設けてある。この凹凸部に研磨物の端を手に持ったまま引っ掛けるように置いて維持させた状態で研磨作業が行えるようにした。端を持つ事で研磨熱から遠いところを持つことになるので研磨熱から逃れる事が出来る研磨物が研磨支台に半固定の状態となるので研磨時のぶれを無くせ安全に作業が出来るようになった。【選択図】図１
2019098130.tif 000002
【特許請求の範囲】
【請求項１】
堤状または橋桁状のテーブルに凹凸の刻みを設けて研磨支台としたものである。
【発明の詳細な説明】
【発明の詳細な説明】
【発明の属する技術の分野】
【０００１】この発明は歯科技工においてハンドピースモーターを使用しての研磨や切断作業などに用いるものである。
【背景技術】
【０００２】従来は研磨する物を手に持ちハンドピースを使いフリーハンドにて研磨作業をしていた。
【発明が解決しようとする課題】
【０００３】フリーハンドで行う事によりぶれが生じてしまい特にディスクを用いたカット作業時には指を怪我することも度々であった。また研磨熱の発生により水にて冷やしながらの作業となり作業効率が悪かった。
【課題を解決するための手段】
【０００４】フリーハンドの状態を無くす為に堤状のテーブル［図面］１の研磨支台を考案した。この研磨支台の使用法から述べる。図の▲１▼は作業者の使用方向である。術者は図▲２▼の作業面で研磨などの作業を行う。堤状で幅が狭くしてあるので、左右の手による研磨物の細かな作業を行う事が出来るようにした。
この作業面には刻みや図の▲３▼の凹凸部が設けてある。この凹凸部に手に持ったまま研磨物を乗せて維持させる事で、軽く手に持つだけで研磨が行えるようにしたものである。
図面の▲４▼はハンドピースを持つ手の薬指を置くための支点面である。これによりハンドピースモーターのぶれを無くす効果がある。作業面の前後的な高さは、作業者に近い方を少し高くなるようにした。
【発明実施の形態】
【０００５】研磨支台は図▲６▼の台座に支えられているのでこのままでも使用できるが、研磨支台を既存の集塵ＢＯＸの中に入れる事で粉塵を吸引する事が無いので最良の使用法である。
また掃除やその他の作業の邪魔にならないように取り外しを簡単にしたリＢＯＸ内にて折りたためるようにした。材質は燃えにくい種類の木製が好ましい、なぜなら凹凸を術者が好みの形にたやすく形成出来るとともに、研磨熱と振動に対して対応できるためである。
図の▲５▼はポイントッドレッサーである、固定する事で作業効率を高めた。
左利き右利きにかかわらず使用する事が出来る。
【発明の効果】
【０００６】金属をカットする時ぶれが少ないので、引っかかり現象によるはじかれる事が減少し怪我をすることが無くなり安全である。またディスクを用いた細かな作業も容易になりディスクの破損も減らせた。
研磨物を研磨支台に乗せて維持させているので研磨物の端を手に持っての作業が可能となり研磨熱から逃れる事が出来た。
研磨物を研磨支台と研磨用ポイントで強く押さえるような状態になるので研磨物とポイントの接触状態の時に起こるバウンドが減少し研磨効率が非常に上がる。
研磨時の振動を研磨支台が吸収するので指に伝わる振動が減るとともに研磨物を支えるだけの力で済むので指への負担が少ない。
【図面の簡単な説明】
【図１】
【符号の説明】▲１▼  作業車方向
▲２▼  作業面
▲３▼  凹凸部
▲４▼  薬指の支点面
▲５▼  ポイントドレッサー
▲６▼  台座
【図１】
2019098130.tif 000003
【手続補正書】
【提出日】平成30年1月31日(2018.1.31)
【手続補正２】
【補正対象書類名】明細書
【補正対象項目名】全文
【補正方法】変更
【補正の内容】
【発明の詳細な説明】
【技術の分野】
【０００１】この発明は歯科技工においてハンドピースモーターを使用しての研磨や切断作業などに用いるものである。
【背景技術】
【０００２】従来は研磨する物を手に持ちハンドピースを使いフリーハンドにて研磨作業をしていた。
【発明の概要】
【発明が解決しようとする課題】
【０００３】フリーハンドで行う事によりぶれが生じてしまい特にディスクを用いたカット作業時には指を怪我することも度々であった。また研磨熱の発生により水にて冷やしながらの作業となり作業効率が悪かった。
【課題を解決するための手段】
【０００４】フリーハンドの状態を無くす為に堤状のテーブル〔図面〕１の研磨支台を考案した。この研磨支台の使用法から述べる。図の▲１▼は作業者の使用方向である。術者は図▲２▼の作業面で研磨などの作業を行う。堤状で幅が狭くしてあるので、左右の手による研磨物の細かな作業を行う事が出来るようにした。
この作業面には刻みや図の▲３▼の凹凸部が設けてある。この凹凸部に手に持ったまま研磨物を乗せて維持させる事で、軽く手に持つだけで研磨が行えるようにしたものである。
図面の▲４▼はハンドピースを持つ手の薬指を置くための支点面である。これによりハンドピースモーターのぶれを無くす効果がある。作業面の前後的な高さは、作業者に近い方を少し高くなるようにした。
【発明の効果】
【０００５】金属をカットする時ぶれが少ないので、引っかかり現象によるはじかれる事が減少し怪我をすることが無くなり安全である。またディスクを用いた細かな作業も容易になりディスクの破損も減らせた。
研磨物を研磨支台に乗せて維持させているので研磨物の端を手に持っての作業が可能となり研磨熱から逃れる事が出来た。研磨物を研磨支台と研磨用ポイントで強く押さえるような状態になるので研磨物とポイントの接触状態の時に起こるバウンドが減少し研磨効率が非常に上がる。
研磨時の振動を研磨支台が吸収するので指に伝わる振動が減るとともに研磨物を支えるだけの力で済むので指への負担が少ない。
【図面の簡単な説明】
【０００６】
【図１】本案の斜視図である
【実施例】
【０００７】研磨支台は図▲６▼の台座に支えられているのでこのままでも使用できるが、研磨支台を既存の集塵ＢＯＸの中に入れる事で粉塵を吸引する事が無いので最良の使用法である。また掃除やその他の作業の邪魔にならないように取り外しを簡単にしたリＢＯＸ内にて折りたためるようにした。材質は燃えにくい耐火処理された木製が好ましい、なぜなら凹凸を術者が好みの形にたやすく形成出来るとともに、研磨熱と振動に対して対応できるためである。
図の▲５▼はポイントッドレッサーである、固定する事で作業効率を高めた。
左利き右利きにかかわらず使用する事が出来る。
【符号の説明】
【０００８】  ▲１▼作業者方向
▲２▼作業面
▲３▼凹凸部
▲４▼薬指の支点面
▲５▼ポイントドレッサー
▲６▼台座
(57)【要約】【課題】棒状物の置かれた形状に関わらず、狭小部でも吸着パッドにより持ち上げて、メカニカルチャックにてホールドし、重量のある棒状物を安定搬送させる。【解決手段】棒状物を吸引する吸着パッド部２と、吸着パッドを上下させる機構３、棒状物をメカニカルチャック内で、自重落下させることのできる形状をもった、開閉メカニカルチャック１を具備する。メカニカルチャック形状にて、棒状物の持ち替えができる。【選択図】図１
2019098505.tif 000002
【特許請求の範囲】
【請求項１】
棒状物の搬送において、搬送機械、ロボットの先端部に装着し、棒状物を吸引する吸着パットと、吸着パッドを上下させる上下機構と、棒状物をホールドする為に開閉できるメカニカルチャックとを備えたハンド装置。
【請求項２】
請求項１に記載のハンド装置であって、一つ以上の吸着パッドと、一つ以上のメカニカル開閉チャックと、吸着パッド部を上下する機構を具備したハンド装置。
【請求項３】
請求項１〜請求項２のハンド装置であって、メカニカルチャックの形状を選択することにより、棒状物を持ち変えることができるハンド装置。
【発明の詳細な説明】
【背景技術】
【０００１】自動化設備に使用されている、ワークをつかむという工程は、エア式、電気式のチャック部品が既に市販されている。吸着パッドを用いたチャック部品も既に多く用いられているが、重量のある棒状物を吸着パッドだけで搬送するのには安全面で不安である。
【発明の概要】
【発明が解決しようとする課題】
【０００２】重量のある棒状物（丸棒、三角棒、四角棒、六角棒等）の材料が山積み、平積みされてのをつかむにはチャック部品が入り込むスペースが必要であり、隙間がないとクランプができない。クランプする前段階で、吸着パッドにより吸引し持ち上げて、メカニカルチャックを閉じて、ホールドしながら安全に搬送する。
【課題を解決するための手段】
【０００３】本発明に係るハンド装置は、１つ以上の開閉メカニカルチャック部、１つ以上の吸着パットによる吸引部、吸着パッド上下部から構成されている。
バラ積み、段積み、平積みで、隙間なく並べられている棒状材をメカニカルチャックを開いた状態で、吸着パットが下降し、吸引をオンにして棒状物を吸着し、メカニカルチャックのホールドエリアまで上昇させる。【０００４】メカニカルチャックが棒状物を持ち上げた時の形状と、搬送先の置き方によって、プログラム選択されたチャックが閉じる。【０００５】メカニカルチャックが閉じて、チャックによるクランプ又は、チャックが閉じて、吸着パットの吸引をオフにし、棒状物を自重落下させる。【０００６】搬送目的地に到着すると、吸着パッドにより棒状物を吸引し、メカニカルチャックが開く。【０００７】メカニカルチャックが開き、吸着パッドが下降した後、吸引をオフにし、棒状物を所定の位置に置く。
【発明の効果】
【０００８】棒状物が隙間なく並んでいても、吸着部によって吸引、上昇させて、吸着パッドだけでは不安定な重量物も、メカニカルチャックによってホールドすることにより、安定した搬送が可能になる。【０００９】搬送先に棒状物を置く際に、クランプ部から吸着パッドに持ち替えて置くので、クランプの動作スペースが入り込めない所にも吸着パッドにて置くことができる。【００１０】三角、四角、六角形状等にて、吸着部で持ち上げた形状を、メカニカルチャックの形状を選択変更することにより、搬送先の置く形状に変更できる。【００１１】形状の異なる複数のメカニカルチャックを設置することによって、持ち上げた形状に関係なくメカニカルチャックの形状に変更することができる。
【図面の簡単な説明】
【００１２】
【図１】メカニカルチャック部、吸着部の全体図である。
【図２】メカニカルチャック部で、吸着パッドの吸引オン状態図
【図３】メカニカルチャック部で、吸着パッドの吸引オフ状態図。
【図４】六角棒にて、メカニカルチャックを開いて、吸着パッドの吸引をオンにし、持ち上げた状態図。
【図５】六角棒にて、メカニカルチャックを閉じて、吸着パッドの吸引をオフにして、棒状物を自重落下させた状態図。
【図６】六角棒にて、メカニカルチャックを閉じた状態での、吸着パッドを下降させて、吸引している状態図。
【図７】六角棒を、搬送目的地到着後、メカニカルチャックを開けて、吸着パッドを下降させている状態図。
【図８】四角棒にて、メカニカルチャックを開いて、吸着パッドの吸引をオンにし、持ち上げた状態図。
【図９】四角棒にて、メカニカルチャックを閉じて、吸着パッドの吸引をオフにして、棒状物を自重落下させた状態図。
【図１０】四角棒にて、メカニカルチャックを閉じた状態での、吸着パッドを下降させて、吸引している状態図。
【図１１】四角棒を、搬送目的地到着後、メカニカルチャックを開けて、吸着パッドを下降させている状態図。
【図１２】三角棒にて、メカニカルチャックを開いて、吸着パッドの吸引をオンにし、持ち上げた状態図。
【図１３】三角棒にて、メカニカルチャックを閉じて、吸着パッドの吸引をオフにして、棒状物を自重落下させた状態図。
【図１４】三角棒にて、メカニカルチャックを閉じた状態での、吸着パッドを下降させて、吸引している状態図。
【図１５】三角棒を、搬送目的地到着後、メカニカルチャックを開けて、吸着パッドを下降させている状態図。
【図１６】丸棒にて、メカニカルチャックを開いて、吸着パッドの吸引をオンにし、持ち上げた状態図。
【図１７】丸棒にて、メカニカルチャックを閉じて、吸着パッドの吸引をオフにして、棒状物を自重落下させた状態図。
【図１８】丸棒にて、メカニカルチャックを閉じた状態での、吸着パッドを下降させて、吸引している状態図。
【図１９】丸棒を、搬送目的地到着後、メカニカルチャックを開けて、吸着パッドを下降させている状態図。
【符号の説明】
【００１３】１  メカニカルチャック部
２  吸着パッド部
３  吸着パッド上下機構
４  搬送ハンド取り付け部
５  棒状物
６  棒状物を置く搬送目的地
【図１】
2019098505.tif 000003
【図２】
2019098505.tif 000004
【図３】
2019098505.tif 000005
【図４】
2019098505.tif 000006
【図５】
2019098505.tif 000007
【図６】
2019098505.tif 000008
【図７】
2019098505.tif 000009
【図８】
2019098505.tif 000010
【図９】
2019098505.tif 000011
【図１０】
2019098505.tif 000012
【図１１】
2019098505.tif 000013
【図１２】
2019098505.tif 000014
【図１３】
2019098505.tif 000015
【図１４】
2019098505.tif 000016
【図１５】
2019098505.tif 000017
【図１６】
2019098505.tif 000018
【図１７】
2019098505.tif 000019
【図１８】
2019098505.tif 000020
【図１９】
2019098505.tif 000021
(57)【要約】【課題】従来の万年筆は、中身として使うインクが液状であり、インクつぼから吸いあげる時に手や周りを汚すことがあった。円筒形インクケースを中身として刺して使っても、インクがペン先の使い方によっては、紙ににじみ出すぎるという難点がある一方、現在でも、万年筆は、高価で、贈答品ともなりうる一面をもっている。現在では、一般的には、ボールペン等がよく使われており、万年筆はほとんど使わない。【解決手段】ペンの外形は、万年筆の形（とくにペン先）を維持しつつ、中身は、ゲルボールペンのインクを使い、内部からワンタッチでだす形をとる。インクしんの直径は、５〜６ｍｍの太いしんである。外形のおしゃれにより、儀式でよく使い、キレイに書け、儀式の時、手を汚すことはない。旧式の仕様を現代式に変え、贈答品として維持できる。【選択図】図１
2019098731.tif 000002
【特許請求の範囲】
【請求項１】
ペン先が旧来の万年筆であり、中のインクがゲルインク（ボールペンで使っているのと同一）である。
【請求項２】
ワンタッチ式であり、万年筆のペン先の中は空洞であり、ペンもち手には、インクのしんが入っている。インク直径５〜６ｍｍのゲルインク。
【発明の詳細な説明】
【技術分野】
【０００１】本発明は、旧来の万年筆を便利に簡易化したボールペンである。
【背景技術】
【０００２】従来の万年筆は、ペンのインクを中にインクつぼから吸いとって使うか、プラスチックの円筒のようなインクの入ったケースを万年筆の中にさしこんで使うものであった。【０００３】従来の万年筆は、インクが液状で、つぼからすいとっても、筆圧やかき方によっては、紙にしみて文字が細く小さくかきづらいものである。インクケースを中に刺しこんでも同様のことがいえる。
【発明の概要】
【発明が解決しようとする課題】
【０００４】以上にのべたように、従来の万年筆は、現在においても、高価で、贈答品となりうるものでありながら、インクが液状で、つぼから吸いとって使うか、インクケースを中に刺しこんで使うものであり、昔のまま、何ら技術的に変化をとげていない。
万年筆にかわるものとして、現在では、ボールペンで、ペン先が細く、インクがペン先のボールによって転がされてでてくるペンが使われている。軽くて安価なものからある。
万年筆は、使い勝手がよければ、儀式や結婚式のサインとしても使える良品である。【０００５】本発明は、このような、旧来の万年筆が有していた、インクの状態を使いやすく、以前のようにしみたり、汚れたりしないボールペン様にかえたものである。
【課題を解決するための手段】
【０００６】外側の外形をとくにペン先は、万年筆という形を維持しつつ、ボールペンで使われている、中のインクは、ゲルタイプにかえることで、多くにじみだしすぎたり、しみたりすることを防ぐ。
つまり、外形は、万年筆の形をとり、中身は、ゲルボールペン（しんの直径が５〜６ｍｍ程度の太いもの）をインクとするペンを作成する。
旧来の歴史ある万年筆を伝統として良い形でのこすことを目標とし、ボールペンだけしか使われない社会にならないようにする。
【発明の効果】
【０００７】本発明の万年ボールペンは、インクが紙にしみない、手が汚れない、昔の伝統を現在の使いやすい形で保持しつつ、ボールペンよりも、ドレッシーであり、正式な儀式や結婚式などのとき、又おしゃれ道具の一品として、利用することができる。
【図面の簡単な説明】
【０００８】
【図１】本発明の万年筆ボールペンを横から見た外観図
【図２】ゲルインクのしんを横から見た外観図
【発明を実施するための形態】
【０００９】以下、発明の実施の形態を図１、２にもとづき説明する。
【００１０】図１において、１は、万年筆様のペン先であり、中は空洞であり、インクしんがワンタッチで押されるとペン先まで穴をとおしておりてくる。
万年筆ペン先は、少しわれており、旧来の伝統を維持している。
２は、ねじ巻き式であり、ここをまわして開けると、インクしんがかえることが可能である。
３は、ゴムが巻いてあり、指でもちやすく、すべりにくい形態である。
４は、ワンタッチ式であり、ペン先にキャップを用意しないでも、しんをしまうことができる。
５は、ゲルインクであり、口径を太くとることにより、よりやわらかめのゲルインクとなっており、インクとしては、万年筆に好ましいタイプとなっている。
万年筆様のボールペンを作成することにより、儀式で見た目が美しく、手を汚しにくい形式である。
【図１】
2019098731.tif 000003
【図２】
2019098731.tif 000004